(57)【特許請求の範囲】
【請求項１】
基台に複数の切換固定接点が埋設されたケースと、
前記ケースに重ねて一体化されるカバー部材と、
前記ケースと前記カバー部材との間に形成される収納空間に回動可能に保持される本体部および該本体部から前記ケースの外部に延出する操作部を有する操作体と、
前記操作体に設けられ前記切換固定接点上を摺動する摺接部を有する可動接点体と、
前記可動接点体と常時導通するコモン接点と、
前記操作体を操作前の初期状態に復帰させる付勢部材とを備え、
前記操作体の回動操作に伴って前記可動接点体が回動して、当該可動接点体の摺接部が前記切換固定接点と接離するスイッチ装置において、
前記可動接点体は前記カバー部材と対向する接続部を備え、前記カバー部材は導電性を有する金属板材からなると共に、当該カバー部材に前記コモン接点を有する弾性腕部が設けられており、前記弾性腕部によって前記コモン接点が前記接続部側に弾性付勢されて前記コモン接点と前記接続部とが当接していることを特徴とするスイッチ装置。
【請求項２】
前記可動接点体の前記接続部が前記操作体の本体部の中央部に配設されており、前記可動接点体の摺接部は、前記接続部を挟んで対向する位置に一対設けられていることを特徴とする請求項１に記載のスイッチ装置。
【請求項３】
前記複数の切換固定接点は、前記操作体を初期状態から一方向に回動操作したときに、前記摺接部の一方が接離する第１切換固定接点と、前記摺接部の一方の前記第１切換固定接点に対する接離とは異なるタイミングで前記摺接部の他方が接離する第２切換固定接点と、
前記操作体を初期状態から他方向に回動操作したときに、前記摺接部の一方が接離する第３切換固定接点と、前記摺接部の一方の前記第３切換固定接点に対する接離とは異なるタイミングで前記摺接部の他方が接離する第４切換固定接点とを有することを特徴とする請求項２に記載のスイッチ装置。
【請求項４】
前記カバー部材には前記弾性腕部の周囲に開口が設けられており、前記開口を塞ぐ取付部材を前記カバー部材に重ねて配置したことを特徴とする請求項１ないし請求項３のいずれかに記載のスイッチ装置。
【請求項５】
前記付勢部材は、巻回部と前記巻回部の両端から延出して設けられた第１の腕部および第２の腕部とを有する捻りコイルばねであり、
前記ケースには、前記第１の腕部と第２の腕部とをそれぞれ保持する保持部が設けられており、
前記巻回部は前記操作体の本体部に保持されていると共に、前記第１の腕部が前記第２の腕部よりも前記ケースの基台側に位置した状態で、前記第１の腕部と前記第２の腕部とが前記本体部から突出して前記ケースの前記保持部に保持されて、
前記操作体の一方向または他方向への回動操作に伴って、前記第１の腕部と第２の腕部とのいずれか一方が前記操作体に設けられた駆動部に押圧されて前記保持部から離脱して移動するように構成されており、
前記カバー部材の前記弾性腕部は、前記第１の腕部と対向すると共に、前記第２の腕部の回動範囲の範囲外に設けられていることを特徴とする請求項１ないし請求項４のいずれかに記載のスイッチ装置。
【請求項６】
前記可動接点体の前記接続部は平板状に形成されており、前記可動接点体は、前記接続部の端部から前記ケースの基台側へ延出した連結部と、前記連結部の先端から前記接続部の周囲を周回する方向へ延出すると共に前記摺接部を備えた摺動腕部とを有し、
前記接続部および前記連結部が前記付勢部材の巻回部の内側に配設されていることを特徴とする請求項５に記載のスイッチ装置。
【発明の詳細な説明】
【技術分野】
【０００１】
本発明は、スイッチ装置に関し、特に、回動操作されるスイッチ装置に関するものである。
【背景技術】
【０００２】
昨今、特にデジタルカメラの様なポータブルな電気製品は小型化の要求が強まるとともに、低価格化が進んで来ている。したがってポータブルな電気製品に使われるスイッチ装置とし、低価格な小型のスイッチ装置が求められている。
【０００３】
回動操作されるスイッチ装置としては、下記の特許文献１に記載のスイッチ装置が知られている。
【０００４】
以下、図９および図１０を用いて、特許文献１に記載のスイッチ装置について説明する。図９は、特許文献１に記載のスイッチ装置５００の構成を示す断面図である。図１０はスイッチ装置５００の構成を示す分解斜視図である。
【０００５】
特許文献１に記載のスイッチ装置５００は、合成樹脂製の基台５１１にコモン用固定接点として機能する固定接点５１２を配設したウエハ５１０と、このウエハ５１０に積層し一体化され、基台５１１の内面に圧接される切換用固定接点として機能する接触片５２１を有するカバー５２０と、これらウエハ５１０とカバー５２０とで形成される空間内に配置され、固定接点５１２に常時弾接する第１の腕部５３１と接触片５２１に接離可能な第２の腕部５３２を有する可動接点として機能する捩じりコイルばね５３０と、この捩じりコイルばね５３０の第２の腕部５３２に弾接し、第２の腕部５３２を接触片５２１と基台５１１の内面との間で摺動させる操作体５４０とを備えてなる。
【先行技術文献】
【特許文献】
【０００６】
【特許文献１】特許第３５６９０７９号公報
【発明の概要】
【発明が解決しようとする課題】
【０００７】
特許文献１に記載のスイッチ装置５００は、捩じりコイルバネ５３０の弾性力に抗して操作体５４０を回動操作することで、コモン用固定接点として固定接点５１２と切換用固定接点としての接触片５２１との間の導通状態が切り換えられるスイッチ装置である。
【０００８】
しかしながら、上記スイッチ装置５００を構成するウエハ５１０には固定接点５１２がインサート成形され、カバー５２０には接触片５２１がインサート成形されているため、加工コストが高くなると共に、厚さ寸法が大きくなってしまうという課題があった。
【０００９】
本発明は、上述した課題を解決して、低価格化可能で小型化の要求にも対応できる回動操作型のスイッチ装置を提供するものである。
【課題を解決するための手段】
【００１０】
請求項１に記載のスイッチ装置は、基台に複数の切換固定接点が埋設されたケースと、前記ケースに重ねて一体化されるカバー部材と、前記ケースと前記カバー部材との間に形成される収納空間に回動可能に保持される本体部および該本体部から前記ケースの外部に延出する操作部を有する操作体と、前記操作体に設けられ前記切換固定接点上を摺動する摺接部を有する可動接点体と、前記可動接点体と常時導通するコモン接点と、前記操作体を操作前の初期状態に復帰させる付勢部材とを備え、前記操作体の回動操作に伴って前記可動接点体が回動して、当該可動接点体の摺接部が前記切換固定接点と接離するスイッチ装置において、前記可動接点体は前記カバー部材と対向する接続部を備え、前記カバー部材は導電性を有する金属板材からなると共に、当該カバー部材に前記コモン接点を有する弾性腕部が設けられており、前記弾性腕部によって前記コモン接点が前記接続部側に弾性付勢されて前記コモン接点と前記接続部とが当接しているという特徴を有する。
【００１２】
請求項２に記載のスイッチ装置は、前記可動接点体の前記接続部が前記操作体の本体部の中央部に配設されており、前記可動接点体の摺接部は、前記接続部を挟んで対向する位置に一対設けられているという特徴を有する。
【００１３】
請求項３に記載のスイッチ装置は、前記複数の切換固定接点は、前記操作体を初期状態から一方向に回動操作したときに、前記摺接部の一方が接離する第１切換固定接点と、前記摺接部の一方の前記第１切換固定接点に対する接離とは異なるタイミングで前記摺接部の他方が接離する第２切換固定接点と、前記操作体を初期状態から他方向に回動操作したときに、前記摺接部の一方が接離する第３切換固定接点と、前記摺接部の一方の前記第３切換固定接点に対する接離とは異なるタイミングで前記摺接部の他方が接離する第４切換固定接点とを有するという特徴を有する。
【００１４】
請求項４に記載のスイッチ装置は、前記カバー部材には前記弾性腕部の周囲に開口が設けられており、前記開口を塞ぐ取付部材を前記カバー部材に重ねて配置したという特徴を有する。
【００１５】
請求項５に記載のスイッチ装置は、前記付勢部材は、巻回部と前記巻回部の両端から延出して設けられた第１の腕部および第２の腕部とを有する捻りコイルばねであり、前記ケースには、前記第１の腕部と第２の腕部とをそれぞれ保持する保持部が設けられており、前記巻回部は前記操作体の本体部に保持されていると共に、前記第１の腕部が前記第２の腕部よりも前記ケースの基台側に位置した状態で、前記第１の腕部と前記第２の腕部とが前記本体部から突出して前記ケースの前記保持部に保持されて、前記操作体の一方向または他方向への回動操作に伴って、前記第１の腕部と第２の腕部とのいずれか一方が前記操作体に設けられた駆動部に押圧されて前記保持部から離脱して移動するように構成されており、前記カバー部材の前記弾性腕部は、前記第１の腕部と対向すると共に、前記第２の腕部の回動範囲の範囲外に設けられているという特徴を有する。
【００１６】
請求項６に記載のスイッチ装置は、前記可動接点体の前記接続部は平板状に形成されており、前記可動接点体は、前記接続部の端部から前記ケースの基台側へ延出した連結部と、前記連結部の先端から前記接続部の周囲を周回する方向へ延出すると共に前記摺接部を備えた摺動腕部とを有し、前記接続部および前記連結部が前記付勢部材の巻回部の内側に配設されているという特徴を有する。
【発明の効果】
【００１７】
請求項１の発明によれば、収納空間を画成するカバー部材を、コモン接点が設けられた金属板材によって形成することで、この部材をインサート成形部材とした場合と比べて、コストを低減できると共に、部材の厚さを薄くすることでスイッチ装置をより小型にすることができる、という効果を奏する。しかも、コモン接点がカバー部材に設けられた弾性腕部によって可動接点体の接続部側に弾性付勢されているので、コモン接点と可動接点体との導通を確実なものとすることができる、という効果を奏する。
【００１９】
請求項２の発明によれば、接続部を挟んで対向する位置に、摺接部を一対設ける構造としたことで、回動操作したときのバランスが良くスムーズに操作することができる、という効果を奏する。
【００２０】
請求項３の発明によれば、操作部をいずれの方向に回動操作した場合でも、それぞれ多段階の出力が得られるスイッチ装置を提供することができる、という効果を奏する。
【００２１】
請求項４の発明によれば、取付部材で開口を塞ぐことで埃などの異物が内部に侵入するのを防止し、スイッチ装置の信頼性を向上させることができる、という効果を奏する。
【００２２】
請求項５の発明によれば、弾性腕部を、第１の腕部と対向すると共に、第２の腕部の回動範囲の範囲外に設けることで、操作体を回動操作した場合でも、付勢部材と弾性腕部とが干渉することなく動作可能となり、干渉による弾性腕部等の変形や変形による接続不具合などを防止できる、という効果を奏する。
【００２３】
請求項６の発明によれば、可動接点体の一部を付勢部材の巻回部の内側に配設する構成としたことで、部材を配設する為の空間を削減することができ、スイッチ装置をより小型化することが可能となる、という効果を奏する。
【００２４】
以上より、本発明によれば、低価格化が可能で小型化の要求にも対応できる回動操作型のスイッチ装置を提供することができる。
【図面の簡単な説明】
【００２５】
【図１】本発明の第１実施形態に係るスイッチ装置１００を示す斜視図である。
【図２】スイッチ装置１００の構成を示す分解斜視図である。
【図３】操作体３を示す図である。
【図４】ケース１を示す図である。
【図５】可動ユニット１０を示す図である。
【図６】操作部３ｂを矢印Ｌ方向へ操作したときの可動接点体４と切換固定接点１ａとの位置関係を示す図である。
【図７】操作部３ｂを矢印Ｌ方向の移動可能範囲末端まで操作した状態を示す図である。
【図８】操作部３ｂを矢印Ｒ方向へ操作したときの可動接点体４と切換固定接点１ａとの位置関係を示す図である。
【図９】背景技術に係るスイッチ装置５００の構成を示す断面図である。
【図１０】スイッチ装置５００の構成を示す分解斜視図である。
【発明を実施するための形態】
【００２６】
［第１実施形態］
以下に第１実施形態におけるスイッチ装置１００について説明する。
【００２７】
まず始めに本実施形態におけるスイッチ装置１００の構成について図１ないし図４を用いて説明する。図１はスイッチ装置１００を示す斜視図である。図２はスイッチ装置１００の構成を示す分解斜視図である。図３は操作体３を示す図である。図４はケース１を示す図であり、図４（ａ）はケース１を示す斜視図であり、図４（ｂ）はケース１を図４（ａ）に示すＺ１方向から見た平面図である。
【００２８】
スイッチ装置は、図１および図２に示すように、複数の切換固定接点１ａが埋設されたケース１と、開口２ｄを有しケース１に重ねて一体化されるカバー部材２と、外部からの操作を受けて回動可能な操作体３と、操作体３に設けられケース１に摺接する可動接点体４と、操作体３を操作前の初期状態に復帰させる付勢部材５と、開口２ｄを塞ぐ取付部材６とを備えている。
【００２９】
付勢部材５は、弾性を有する金属線材からなる捻りコイルばねであり、金属線材を螺旋状に巻いて形成された巻回部５ａと、巻回部５ａの両端から所定の開放角度を有して延出して設けられた第１の腕部５ｂおよび第２の腕部５ｃとを有する。
【００３０】
可動接点体４は、図２に示すように、導電性を有する金属板からなり、平板状に形成された基部としての接続部４ａの対向する端部から連結部４ｂがＺ２方向に延出して形成されている。
【００３１】
また、連結部４ｂの先端から接続部４ａの周囲を周回する方向へ延出して摺動腕部４ｃが設けられ、摺動腕部４ｃの先端部には摺接部４ｄが形成されている。
【００３２】
なお、本実施形態においては、一対の摺動腕部４ｃはそれぞれ反時計回り方向に延出して設けられている。
【００３３】
また、連結部４ｂが形成されている箇所とは異なる接続部４ａの対向する端部には、それぞれカシメ部４ｅが延出して形成されている。
【００３４】
操作体３は、図１、図２および図３に示すように、合成樹脂材からなり、略円盤状に形成された本体部３ａと棒状に形成された操作部３ｂとを備え、操作部３ｂは本体部３ａの側面から延出して形成されている。
【００３５】
本体部３ａのＺ１方向の面には、可動接点体４および付勢部材５を収納可能な収納部３ｃが凹形状に形成されており、収納部３ｃの中央には、台座部３ｄが略円柱状にＺ１方向に突出して形成されている。
【００３６】
また、台座部３ｄの中心部にはＺ１−Ｚ２方向に貫通している略円形の貫通孔３ｅが形成されており、貫通孔３ｅの内壁の対向する箇所には一対のガイド溝３ｆが形成されている。
【００３７】
操作部３ｂが形成されている側の収納部３ｃの外周は壁部３ｇに囲まれているが、収納部３ｃを挟んで操作部３ｂが形成されている側に対向する側の一部には壁部３ｇはなく開放されており、開放されている側には付勢部材５の第１の腕部５ｂと第２の腕部５ｃとをそれぞれ押圧可能な一対の駆動部３ｉが形成されている。
【００３８】
また、操作部３ｂが形成されている側の収納部３ｃの底面には、可動接点体４の摺動腕部４ｃ（摺接部４ｄ）の一方を露出するために、Ｚ１−Ｚ２方向に貫通した開口部３ｈが形成されている。
【００３９】
カバー部材２は、図１および図２に示すように、導電性を有する金属板材からなり、概略平板状に形成されている。天板２ａは平板状に形成されており、天板２ａの中心付近には、片持ち梁状にＺ２方向に向かって突出した弾性を有する弾性腕部２ｂが形成されている。
【００４０】
また、弾性腕部２ｂの自由端側である先端部には、弾性腕部２ｂの幅方向に沿ってリブ状にＺ２方向に突出したコモン接点２ｃが形成されている。スイッチ装置１００が組み立てられた状態において、コモン接点２ｃは弾性腕部２ｂによって可動接点体４の接続部４ａ側に弾性付勢された状態で接続部４ａと当接している。すなわち、コモン接点２ｃと接続部４ａとは弾接しており、これにより両者の電気的な接続を確実なものとしている。
【００４１】
なお、弾性腕部２ｂの周囲に開口２ｄが設けられている。
【００４２】
また、開口２ｄを挟んで対向する天板２ａの端部には、コモン端子２ｅがそれぞれＺ２方向へ突出して形成されている。
【００４３】
ケース１は、図１、図２および図４に示すように、合成樹脂材からなり、略直方体形状の基台１ｂに、導電性を有する金属板材からなる複数の切換固定接点１ａが露出した状態で埋設されて形成されている。
【００４４】
基台１ｂのＺ１方向側の面には、カバー部材２をケース１に重ねて配置することで、カバー部材２との間に操作体３を収納可能な収納空間１ｃが凹形状に形成されている。なお、収納空間１ｃの外周は基台１ｂに突出して形成された壁部１ｉに囲まれているが、Ｙ１方向側の一部には壁部１ｉはなく、開放されている。
【００４５】
収納空間１ｃの中央には円柱状にＺ１方向へ突出した回転基準軸１ｄが形成されている。
【００４６】
また、壁部１ｉの、Ｙ１−Ｙ２方向に平行で回転基準軸１ｄを通る直線に対して線対称な位置には、一対の保持部１ｎが収納空間１ｃの内部方向へ突出して形成されている。
【００４７】
また、回転基準軸１ｄを囲む収納空間１ｃのＺ２方向の底面は平坦な面に形成されていると共に、４つの切換固定接点１ａがそれぞれ離間し、収納空間１ｃの底面を構成する基台１ｂの表面から露出して形成されている。
【００４８】
４つの切換固定接点１ａは収納空間１ｃの底面と面一な平坦面で形成され、回転基準軸１ｄを中心とした周方向に並んで配置されている。切換固定接点１ａの１つは回転基準軸１ｄのＸ２方向側に配置された第１切換固定接点１ｅであり、第１切換固定接点１ｅから時計回り方向に第３切換固定接点１ｇ、第２切換固定接点１ｆ、第４切換固定接点１ｈの順番に互いに絶縁した状態で配置されている。
【００４９】
また、回転基準軸１ｄを中心とした周方向における４つの切換固定接点１ａの端部において、第１切換固定接点１ｅと第３切換固定接点１ｇとが対向するそれぞれの端部と、第２切換固定接点１ｆと第４切換固定接点１ｈとが対向するそれぞれの端部とは、回転基準軸１ｄを中心とした円の半径に沿った直線状に形成されている。
【００５０】
また、図４（ｂ）に示すように、回転基準軸１ｄを中心とした周方向における第１切換固定接点１ｅの端部と第３切換固定接点１ｇの端部とで形成する角Ｃ１を２等分する回転基準軸１ｄを通る直線ＬＮは、回転基準軸１ｄを中心とした周方向における第２切換固定接点１ｆの端部と第４切換固定接点１ｈの端部とで形成する角Ｃ２を２等分する。
【００５１】
なお、角Ｃ２は角Ｃ１よりも大きな角度を持った角となっている。
【００５２】
また、４つの切換固定接点１ａは、それぞれその一部を基台１ｂの外方に突出させており、第１切換固定接点１ｅに対応した第１出力端子１ｊと、第２切換固定接点１ｆに対応した第２出力端子１ｋと、第３切換固定接点１ｇに対応した第３出力端子１ｌと、第４切換固定接点１ｈに対応した第４出力端子１ｍとが形成されている。
【００５３】
取付部材６は、図１および図２に示すように、金属板からなり、平板状に形成されてた天板６ａを有し、天板６ａの面積は、カバー部材２の開口２ｄの面積よりも大きい。
【００５４】
次にスイッチ装置の構造について図１、図２、図４、および図５を用いて説明する。図５は可動ユニット１０を示す図であり、図５（ａ）は可動ユニット１０を上方から見た図であり、図５（ｂ）は可動ユニット１０を下方から見た図であり、図５（ｃ）は可動ユニット１０を図５（ｂ）のＹ２方向側からＹ１方向を見た図である。
【００５５】
はじめに、操作体３、可動接点体４および付勢部材５からなる可動ユニット１０の構造について説明する。
【００５６】
図２、図５（ａ）および図５（ｂ）に示すように、可動接点体４は、カシメ部４ｅを操作体３の台座部３ｄのガイド溝３ｆに沿って挿入し、台座部３ｄの上に重ねるように配置される。さらに、カシメ部４ｅの先端を台座部３ｄの裏面側で開くようにカシメを行なうことで、可動接点体４は操作体３に保持される。
【００５７】
これにより、可動接点体４の接続部４ａが操作体３の本体部３ａの中央部に配設されており、可動接点体４の摺接部４ｄは、接続部４ａを挟んで対向する位置に一対設けられる。
【００５８】
接続部４ａを挟んで対向する位置に一対設けられた摺接部４ｄは、図５（ｃ）に示すように、本体部３ａからＺ２方向へ突出している。
【００５９】
付勢部材５は、接続部４ａおよび連結部４ｂを付勢部材５の巻回部５ａの内側に配設した状態で操作体３の収納部３ｃに配置される。
【００６０】
上記のように付勢部材５は、巻回部５ａが操作体３の本体部３ａに保持されていると共に、第１の腕部５ｂが第２の腕部５ｃよりもケース１の基台１ｂに近い収納部３ｃの底面側（Ｚ２方向側）に位置した状態で、第１の腕部５ｂと第２の腕部５ｃとが本体部３ａからＹ２方向へ突出している。
【００６１】
また、第１の腕部５ｂと第２の腕部５ｃとは、それぞれ操作体３の一対の駆動部３ｉに圧接し保持されている。
【００６２】
このようにして可動ユニット１０は形成される。
【００６３】
可動ユニット１０は、操作体３の操作部３ｂをケース１の外部に延出した状態でケース１の収納空間１ｃ内に配置される。
【００６４】
このとき、可動ユニット１０は、ケース１の回転基準軸１ｄを、操作体３の貫通孔３ｅに挿入し回転可能な状態で配置されると共に、第１の腕部５ｂと第２の腕部５ｃとがそれぞれケース１の保持部１ｎに圧接することで、操作体３は所定の中立位置（初期位置）に保持されている。
【００６５】
また、このとき、可動接点体４の摺接部４ｄは、図４（ｂ）に示す直線ＬＮの上でケース１の基台１ｂと弾接し、操作部３ｂを第１の腕部５ｂの付勢力または第２の腕部５ｃの付勢力に抗して回動操作することで、切換固定接点１ａと摺接可能に配設されている。
【００６６】
このように、収納空間１ｃに可動ユニット１０を収納したケース１の上に、可動ユニット１０の本体部３ａを覆うようにカバー部材２は配設され、スナップ係合などによりケース１と一体的に保持される。
【００６７】
なお、カバー部材２に設けられた弾性腕部２ｂは、第１の腕部５ｂと離間して対向するように配設され、弾性腕部２ｂの先端部に設けられたコモン接点２ｃは、弾性腕部２ｂの弾性力により接続部４ａに弾接し、カバー部材２と可動接点体４とは常時導通している。
【００６８】
また、図１のＸ１−Ｘ２方向またはＹ１−Ｙ２方向から見た場合に、コモン端子２ｅの先端部は、ケース１に設けられた第１出力端子１ｊ、第２出力端子１ｋ、第３出力端子１ｌ、および第４出力端子１ｍのそれぞれの先端と同一の高さとなるように配設されている。
【００６９】
さらに、取付部材６をカバー部材２に重ねて配置し、スナップ係合などによりケース１に一体的に取り付けることで、スイッチ装置１００が形成される。
【００７０】
次にスイッチ装置１００の動作について図６ないし図８を用いて説明する。図６は操作部３ｂを矢印Ｌ方向へ操作したときの可動接点体４と切換固定接点１ａとの位置関係を示す図であり、図６（ａ）は初期状態を示す図であり、図６（ｂ）は矢印Ｌ方向に第１角度（１２．５°）回動動作したときの位置を示す図であり、図６（ｃ）は矢印Ｌ方向に第２角度（３７°）回動動作したときの位置を示す図である。図７は操作部３ｂを矢印Ｌ方向の移動可能範囲末端まで操作した状態を示す図であり、図７（ａ）は操作部３ｂを矢印Ｌ方向の移動可能範囲末端まで操作したときの可動接点体４と切換固定接点１ａとの位置関係を示す図であり、図７（ｂ）は操作部３ｂを矢印Ｌ方向の移動可能範囲末端まで操作したときの各構成部品の位置関係を示す図である。
【００７１】
図８は操作部３ｂを矢印Ｒ方向へ操作したときの可動接点体４と切換固定接点１ａとの位置関係を示す図であり、図８（ａ）は初期状態を示す図であり、図８（ｂ）は矢印Ｒ方向に第１角度（１２．５°）回動動作したときの位置を示す図であり、図８（ｃ）は矢印Ｒ方向に第２角度（３７°）回動動作したときの位置を示す図である。
【００７２】
なお、図６、図７（ａ）および図８では、説明を容易にするため、ケース１と可動接点体４以外の部品は図示しておらず、操作体３の操作部３ｂを破線で示している。また、図７（ｂ）は、説明を容易にするため、カバー部材２と取付部材６とは図示しておらず、弾性腕部２ｂを破線で示している。
【００７３】
はじめに、スイッチ装置１００は、カバー部材２のコモン接点２ｃが可動接点体４（接続部４ａ）と常時導通している。そのため、操作体３の回動操作に伴って、可動接点体４が回動し、切換固定接点１ａあるいは基台１ｂ上を摺接部４ｄが摺接し、可動接点体４がいずれかの切換固定接点１ａに接離することで、スイッチとして機能する。
【００７４】
スイッチ装置１００は、図６および図８に示すように、操作部３ｂを矢印Ｌ方向または矢印Ｒ方向へ操作することができる。
【００７５】
図６（ａ）に示す初期状態から、図６（ｂ）および図６（ｃ）に示すように、操作部３ｂを矢印Ｌ方向へ操作すると、操作部３ｂに連動して本体部３ａ（図示せず。図３参照）は矢印Ｌ方向に回動し、可動接点体４の摺接部４ｄは直線ＬＮ上から矢印Ｌ方向へ回動する。
【００７６】
このとき、操作体３の矢印Ｌ方向への回動操作に伴って、第２の腕部５ｃが操作体３の一方の駆動部３ｉに押圧されてケース１の一方の保持部１ｎから離脱して移動する。
【００７７】
図６（ａ）に示す状態から、操作部３ｂを矢印Ｌ方向へ本実施形態においては１２．５°回動操作したときに、図６（ｂ）の状態になる。
【００７８】
図６（ｂ）の状態においては、一方の摺接部４ｄが第１切換固定接点１ｅに当接し、コモン端子２ｅ（図示せず。図１参照）と第１出力端子１ｊとの間が導通し、第１導通状態Ｓ１が確保される。
【００７９】
さらに図６（ｂ）の状態から操作部３ｂを矢印Ｌ方向へ回動操作し、図６（ａ）に示す状態から、本実施形態においては３７°回動操作したときに、図６（ｃ）の状態になる。
【００８０】
図６（ｃ）の状態においては、他方の摺接部４ｄが第２切換固定接点１ｆに当接し、コモン端子２ｅと第２出力端子１ｋとの間が導通し、第２導通状態Ｓ２が確保される。
【００８１】
なお、第２導通状態Ｓ２が確保されている時には、同時に第１導通状態Ｓ１も確保されている。
【００８２】
このように、スイッチ装置１００は操作部３ｂを矢印Ｌ方向へ回動操作したときに、２種類の導通状態を検出することが可能となる。
【００８３】
また、実使用上は操作しないが、図７（ａ）に示すように、矢印Ｌ方向の可動領域の末端まで操作したときにも第１導通状態Ｓ１と第２導通状態Ｓ２とが確保されている。
【００８４】
また、保持部１ｎから離脱して回動する第２の腕部５ｃは、矢印Ｌ方向の可動領域の末端まで操作体３が操作されたときに、最も弾性腕部２ｂに近づくが、弾性腕部２ｂは第２の腕部５ｃの回動範囲の範囲外に設けられており、接触しない。
【００８５】
なお、矢印Ｌ方向への操作を解除すると、付勢部材５は矢印Ｒ方向に操作体３を付勢し、操作前の初期状態（図６（ａ）の状態）に復帰させる。
【００８６】
次に、図８（ａ）に示す初期状態から、図８（ｂ）および図８（ｃ）に示すように、操作部３ｂを矢印Ｒ方向へ操作すると、操作部３ｂに連動して本体部３ａは矢印Ｒ方向に回動し、可動接点体４の摺接部４ｄは直線ＬＮ上から矢印Ｒ方向へ回動する。
【００８７】
このとき、操作体３の矢印Ｒ方向への回動操作に伴って、第１の腕部５ｂが操作体３の他方の駆動部３ｉに押圧されてケース１の他方の保持部１ｎから離脱して移動する。
【００８８】
図８（ａ）に示す状態から、操作部３ｂを矢印Ｒ方向へ本実施形態においては１２．５°回動操作したときに、図８（ｂ）の状態になる。
【００８９】
図８（ｂ）の状態においては、一方の摺接部４ｄが第３切換固定接点１ｇに当接し、コモン端子２ｅと第３出力端子１ｌとの間が導通し、第３導通状態Ｓ３が確保される。
【００９０】
さらに図８（ｂ）の状態から操作部３ｂを矢印Ｒ方向へ回動操作し、図８（ａ）に示す状態から、本実施形態においては３７°回動操作したときに、図８（ｃ）の状態になる。
【００９１】
図８（ｃ）の状態においては、他方の摺接部４ｄが第４切換固定接点１ｈに当接し、コモン端子２ｅと第４出力端子１ｍとの間が導通し、第４導通状態Ｓ４が確保される。
【００９２】
なお、第４導通状態Ｓ４が確保されている時には、同時に第３導通状態Ｓ３も確保されている。
【００９３】
このように、スイッチ装置１００は操作部３ｂを矢印Ｒ方向へ回動操作したときに、矢印Ｌ方向へ回動操作したときと同様に、２種類の導通状態を検出することが可能となる。
【００９４】
また、実使用上で操作されることはなく、図示もしないが、矢印Ｒ方向の可動領域の末端まで操作したときにも第３導通状態Ｓ３と第４導通状態Ｓ４とが確保されている。
【００９５】
なお、矢印Ｒ方向への操作を解除すると、付勢部材５は矢印Ｌ方向に操作体３を付勢し、操作前の初期状態（図８（ａ）の状態）に復帰させる。
【００９６】
以下、本実施形態としたことによる効果について説明する。
【００９７】
本実施形態のスイッチ装置１００では、基台１ｂに複数の切換固定接点１ａが埋設されたケース１と、ケース１に重ねて一体化されるカバー部材２と、ケース１とカバー部材２との間に形成される収納空間１ｃに回動可能に保持される本体部３ａおよび本体部３ａからケース１の外部に延出する操作部３ｂを有する操作体３と、操作体３に設けられ切換固定接点１ａ上を摺動する摺接部４ｄを有する可動接点体４と、可動接点体４と常時導通するコモン接点２ｃと、操作体３を操作前の初期状態に復帰させる付勢部材５とを備え、操作体３の回動操作に伴って可動接点体４が回動して、可動接点体４の摺接部４ｄが切換固定接点１ａと接離するスイッチ装置において、可動接点体４はカバー部材２と対向する接続部４ａを備え、カバー部材２は導電性を有する金属板材からなると共に、カバー部材２にコモン接点２ｃが設けられており、コモン接点２ｃと接続部４ａとが当接している構成とした。
【００９８】
これにより、収納空間１ｃを画成するカバー部材２を、コモン接点２ｃが設けられた金属板材によって形成することで、この部材をインサート成形部材とした場合と比べて、製造コストを低減できると共に、部材の厚さを薄くすることでスイッチ装置をより小型にすることができる、という効果を奏する。
【００９９】
また、本実施形態のスイッチ装置１００では、カバー部材２には、コモン接点２ｃを有する弾性腕部２ｂが設けられており、弾性腕部２ｂによってコモン接点２ｃが接続部４ａ側に弾性付勢されている構成とした。
【０１００】
これにより、コモン接点２ｃがカバー部材２に設けられた弾性腕部２ｂによって可動接点体４の接続部４ａ側に弾性付勢されているので、コモン接点２ｃと可動接点体４との導通を確実なものとすることができる、という効果を奏する。
【０１０１】
また、弾性腕部を可動接点体側に設ける場合に比べて、可動接点体の構成を簡単なものとすることができる。
【０１０２】
また、本実施形態のスイッチ装置１００では、可動接点体４の接続部４ａが操作体３の本体部の中央部に配設されており、可動接点体４の摺接部は、接続部４ａを挟んで対向する位置に一対設けられている構成とした。
【０１０３】
これにより、接続部４ａを挟んで対向する位置に、摺接部４ｄを一対設ける構造としたことで、操作体３を回動操作したときのバランスが良く、スムーズに操作することができる、という効果を奏する。
【０１０４】
また、接続部４ａが操作体３の本体部３ａの中央部に配設されることで、操作体３を回動させた場合に、弾性腕部２ｂの先端に設けられたコモン接点２ｃは、可動接点体４の回動中心に近い位置で接続部４ａと当接する。これにより、弾性腕部２ｂと可動接点体４の接続部４ａとの摺動量を少なくでき、コモン接点２ｃの磨耗を低減することができると共に、摺動させることとでコモン接点２ｃと接続部４ａとの当接箇所に付着した埃などの異物を除去することが可能となり、スイッチ装置の信頼性を向上させることができる、という効果を奏する。
【０１０５】
また、本実施形態のスイッチ装置１００では、複数の切換固定接点１ａは、操作体３を初期状態から一方向に回動操作したときに、摺接部４ｄの一方が接離する第１切換固定接点１ｅと、摺接部４ｄの一方の第１切換固定接点１ｅに対する接離とは異なるタイミングで摺接部４ｄの他方が接離する第２切換固定接点１ｆと、操作体３を初期状態から他方向に回動操作したときに、摺接部４ｄの一方が接離する第３切換固定接点１ｇと、摺接部４ｄの一方の第３切換固定接点１ｇに対する接離とは異なるタイミングで摺接部４ｄの他方が接離する第４切換固定接点１ｈとを有する構成とした。
【０１０６】
これにより、操作部３ｂをいずれの方向に操作した場合でも、それぞれ操作量に応じて２段階の出力が得られるスイッチ装置を提供することができる、という効果を奏する。
【０１０７】
また、本実施形態のスイッチ装置１００では、カバー部材２には弾性腕部２ｂの周囲に開口２ｄが設けられており、開口２ｄを塞ぐ取付部材６をカバー部材２に重ねて配置した構成とした。
【０１０８】
これにより、取付部材６の天板６ａの面積をカバー部材２の開口２ｄの面積よりも大きくしているため、取付部材６をカバー部材２に重ねて配置して取付部材６でカバー部材２の開口２ｄを塞ぐことが可能となる。取付部材６で開口２ｄを塞ぐことで埃などの異物が内部に侵入するのを防止し、スイッチ装置の信頼性を向上させることができる、という効果を奏する。
【０１０９】
また、本実施形態のスイッチ装置１００では、付勢部材５は、巻回部５ａと巻回部５ａの両端から延出して設けられた第１の腕部５ｂおよび第２の腕部５ｃとを有する捻りコイルばねであり、ケース１には、第１の腕部５ｂと第２の腕部５ｃとをそれぞれ保持する保持部１ｎが設けられており、巻回部５ａは操作体３の本体部３ａに保持されていると共に、第１の腕部５ｂが第２の腕部５ｃよりもケース１の基台１ｂ側に位置した状態で、第１の腕部５ｂと第２の腕部５ｃとが本体部３ａから突出してケース１の保持部１ｎに保持されて、操作体３の一方向または他方向への回動操作に伴って、第１の腕部５ｂと第２の腕部５ｃとのいずれか一方が操作体３に設けられた駆動部３ｉに押圧されて保持部１ｎから離脱して移動するように構成されており、カバー部材２の弾性腕部２ｂは、第１の腕部５ｂと対向すると共に、第２の腕部５ｃの回動範囲の範囲外に設けられている構成とした。
【０１１０】
これにより、弾性腕部２ｂを、第１の腕部５ｂと対向すると共に、第２の腕部５ｃの回動範囲の範囲外に設けることで、操作体３を回動操作した場合でも、付勢部材５と弾性腕部２ｂとが干渉することなく動作可能となり、干渉による弾性腕部２ｂ等の変形や変形による接続不具合などを防止できるという効果を奏する。
【０１１１】
また、弾性腕部２ｂを第２の腕部５ｃの回動範囲の範囲外に設け、図７（ｂ）に示すように、巻回部５ａが第２の腕部５ｃよりも低くなっている箇所から弾性腕部２ｂを延出し、コモン接点２ｃを接続部４ａに当接させる構成とした。
【０１１２】
これにより、弾性腕部２ｂの長さを長くすることで、コモン接点２ｃと接続部４ａとの接触がより安定し、スイッチ装置の信頼性を向上させることができると共に、弾性腕部２ｂの配設位置を低くすることで、スイッチ装置をより薄型にできるという効果を奏する。
【０１１３】
また、本実施形態のスイッチ装置１００では、可動接点体４の接続部４ａは平板状に形成されており、可動接点体４は、接続部４ａの端部からケース１の基台１ｂ側へ延出した連結部４ｂと、連結部４ｂの先端から接続部４ａの周囲を周回する方向へ延出すると共に摺接部４ｄを備えた摺動腕部４ｃとを有し、接続部４ａおよび連結部４ｂが付勢部材５の巻回部５ａの内側に配設されている構成とした。
【０１１４】
これにより、可動接点体４の接続部４ａと連結部４ｂとを付勢部材５の巻回部５ａの内側に挿通するように配設する構成としたことで、部材を配設する為の空間を削減することができ、スイッチ装置をより小型化することが可能となる、という効果を奏する。
【０１１５】
以上のように、本発明の実施形態に係るスイッチ装置１００を具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【０１１６】
（１）本実施形態において、スイッチ装置１００は、カバー部材２に弾性腕部２ｂを設けることにより、コモン接点２ｃを可動接点体４の接続部４ａ側に弾性付勢して、両者を弾接するようにしたが、この構造に限られない。例えば、可動接点体４に接続部を有する弾性腕部を形成し、接続部がカバー部材４のコモン接点側に弾性付勢される様に構成してもよい。
【０１１７】
（２）本実施形態において、スイッチ装置１００は操作部３ｂを２方向に操作可能で、どちらの操作方向に操作した場合でも、操作角度が１２．５°と３７°になった時に出力が切り換わる構造としたが、用途にあわせて出力が切り換わる操作角度は変更しても良い。
【０１１８】
（３）本実施形態において、どちらの操作方向に操作した場合でも、同じ操作角度で出力が切り換わる構造としたが、操作方向毎に出力の切り換わる操作角度を変更しても良い。
【０１１９】
（４）本実施形態において、各操作方向毎に２段階の出力が得られる構造としたが、２段階の出力に限ったものではなく、切換数を増やしても良い。また、１段のみの出力が得られるものでも構わない。
【０１２０】
（５）本実施形態において、本実施形態において、図６（ｃ）に示すように、他方の摺接部４ｄが第２切換固定接点１ｆに当接している第２導通状態Ｓ２が確保されている間は、同時に第１導通状態Ｓ１も確保されている構成としたが、これに限られない。例えば、第１切換固定接点１ｅのパターンの角度を小さくすることで、図６（ｃ）の状態からさらに矢印Ｌ方向に操作部３ｂを回動操作する途中で、一方の摺接部４ｄが第１切換固定接点１ｅから離れるようにしても良い。このように構成することで、初期状態から矢印Ｌ方向（一方向）への回動操作において、３段階の出力を得ることが可能となる。他方向においても同様である。
【０１２１】
（６）本実施形態において、カバー部材２の開口２ｄを取付部材６によって塞いでいるが、取付部材６に代えて、シールをカバー部材に貼り付けても良い。また、異物が侵入しにくい環境下で使用される場合には、取付部材６を省くことも可能である。
【０１２２】
（７）本実施形態において、操作部３ｂの初期状態における位置を操作可能な範囲の中心位置としたが、必ずしも中心でなくても良い。また、操作部３ｂの初期状態における位置が操作可能な範囲の中心位置でなかった場合には、例えば、一方に操作した場合には３段階の出力切換ができ、他方に操作した場合には１段階の出力切換ができるなど、操作方向毎に出力の切換数が異なっても良い。
【符号の説明】
【０１２３】
１      ケース
１ａ    切換固定接点
１ｂ    基台
１ｃ    収納空間
１ｄ    回転基準軸
１ｅ    第１切換固定接点
１ｆ    第２切換固定接点
１ｇ    第３切換固定接点
１ｈ    第４切換固定接点
１ｉ    壁部
１ｊ    第１出力端子
１ｋ    第２出力端子
１ｌ    第３出力端子
１ｍ    第４出力端子
１ｎ    保持部
２      カバー部材
２ａ    天板
２ｂ    弾性腕部
２ｃ    コモン接点
２ｄ    開口
２ｅ    コモン端子
３      操作体
３ａ    本体部
３ｂ    操作部
３ｃ    収納部
３ｄ    台座部
３ｅ    貫通孔
３ｆ    ガイド溝
３ｇ    壁部
３ｈ    開口部
３ｉ    駆動部
４      可動接点体
４ａ    接続部
４ｂ    連結部
４ｃ    摺動腕部
４ｄ    摺接部
４ｅ    カシメ部
５      付勢部材
５ａ    巻回部
５ｂ    第１の腕部
５ｃ    第２の腕部
６      取付部材
６ａ    天板
１０    可動ユニット
１００  スイッチ装置
【図１】
0005877607.tif 000002
【図２】
0005877607.tif 000003
【図３】
0005877607.tif 000004
【図４】
0005877607.tif 000005
【図５】
0005877607.tif 000006
【図６】
0005877607.tif 000007
【図７】
0005877607.tif 000008
【図８】
0005877607.tif 000009
【図９】
0005877607.tif 000010
【図１０】
0005877607.tif 000011